(57)【要約】【課題】異音の発生を抑制できる排気浄化装置および車両を提供すること。【解決手段】排気浄化装置の一部である第２筐体２ｂには、側壁面部６に貫通孔５が形成されており、曲面部９の延在方向に沿って仕切部材１１が設けられている。仕切部材１１は、第２筐体２ｂの開口面から流入した排ガスを貫通孔５へ導く誘導流路８が形成されるように、第２筐体２ｂ内の空間を区画する。【選択図】図２
2020002912.tif 000002
【特許請求の範囲】
【請求項１】
排ガスを第１方向から筐体内に流入させる流入口、および、前記筐体内に流入した排ガスを前記第１方向と異なる第２方向から前記筐体外へ流出させる流出口が前記筐体に形成され、前記筐体内に排ガス浄化体が設けられた排気浄化装置であって、
前記筐体内に流入した排ガスを前記流出口へ導く誘導流路が形成されるように前記筐体内の空間を区画する仕切部材を有する、
排気浄化装置。
【請求項２】
前記筐体は、
前記筐体の外部方向に向かって膨出した曲面部と、
前記曲面部に対して直交するように設けられた、対向する２つの側壁面部と、を有し、
前記流出口は、
前記２つの側壁面部のいずれかにおいて、前記曲面部との境界付近に形成され、
前記仕切部材は、
前記曲面部の延在方向に沿って設けられている、
請求項１に記載の排気浄化装置。
【請求項３】
前記仕切部材は、板状であり、
前記仕切部材における対向する２つの端部が、前記筐体の内壁面に固定され、
前記２つの端部以外の端部が、前記流出口が設けられた前記側壁面部に近接または接触している、
請求項２に記載の排気浄化装置。
【請求項４】
前記仕切部材における前記曲面部に対向する部分は、湾曲している、
請求項２または３に記載の排気浄化装置。
【請求項５】
前記筐体は、
前記流入口を有し、前記排ガス浄化体が設けられた第１筐体と、
前記流出口、前記曲面部、および前記側壁面部を有し、前記仕切部材が設けられた、前記第１筐体に対して着脱可能である第２筐体と、を有する、
請求項２から４のいずれか１項に記載の排気浄化装置。
【請求項６】
請求項１から５のいずれか１項に記載の排気浄化装置を備えた車両。
【発明の詳細な説明】
【技術分野】
【０００１】
本開示は、排気浄化装置および車両に関する。
【背景技術】
【０００２】
従来、内燃機関から排出される排ガスを浄化する触媒を筐体内に設けた排気浄化装置が知られている（例えば特許文献１参照）。
【先行技術文献】
【特許文献】
【０００３】
【特許文献１】特開２０１４−２１３２８９号公報
【発明の概要】
【発明が解決しようとする課題】
【０００４】
上述した筐体の形状によっては、筐体内に流入した排ガスに渦が発生し、この渦が原因となって異音が発生するおそれがある。
【０００５】
本開示の目的は、異音の発生を抑制することができる排気浄化装置および車両を提供することである。
【課題を解決するための手段】
【０００６】
本開示の一態様に係る排気浄化装置は、排ガスを第１方向から筐体内に流入させる流入口、および、前記筐体内に流入した排ガスを前記第１方向と異なる第２方向から前記筐体外へ流出させる流出口が前記筐体に形成され、前記筐体内に排ガス浄化体が設けられた排気浄化装置であって、前記筐体内に流入した排ガスを前記流出口へ導く誘導流路が形成されるように前記筐体内の空間を区画する仕切部材を有する。
【０００７】
本開示の一態様に係る車両は、上記排気浄化装置を備える。
【発明の効果】
【０００８】
本開示によれば、異音の発生を抑制することができる。
【図面の簡単な説明】
【０００９】
【図１】本開示の実施の形態に係る排気浄化装置の構成の一例を示す模式図
【図２】本開示の実施の形態に係る第２筐体の構成の一例を示す斜視図
【図３】本開示の実施の形態に係る第２筐体の構成の一例を示す斜視図
【図４】本開示の実施の形態に係る第２筐体の構成の一例を示す斜視図
【発明を実施するための形態】
【００１０】
以下、本開示の実施の形態について、図面を参照して詳細に説明する。
【００１１】
まず、本開示の実施の形態に係る排気浄化装置２の構成について、図１を用いて説明する。図１は、本実施の形態の排気浄化装置２の構成の一例を示す模式図である。
【００１２】
図１に示す排気浄化装置２は、内燃機関（図示略）から排出される排ガスを浄化する装置である。排気浄化装置２は、例えば、車両、作業機械、または発電装置などに搭載される。
【００１３】
図１に示すように、排気浄化装置２は、第１筐体２ａおよび第２筐体２ｂを有する。第２筐体２ｂは、第１筐体２ａに対して着脱可能である。
【００１４】
第１筐体２ａの内部には、排ガス浄化体３が設けられている。排ガス浄化体３は、例えば、排ガス中の有害物質を除去する触媒またはフィルタなどである。
【００１５】
第１筐体２ａには、貫通孔４ａ、４ｂが形成されている。
【００１６】
貫通孔４ａには、上流側排気管１が接続されている。貫通孔４ａは、上流側排気管１を流れる排ガスを、Ｘ方向から第１筐体２ａ内に流入させる。なお、貫通孔４ａは「流入口」の一例に相当し、Ｘ方向は「第１方向」の一例に相当する。
【００１７】
第１筐体２ａ内に流入した排ガスは、排ガス浄化体３を通過した後、貫通孔４ｂを介して、第２筐体２ｂへ流入する。
【００１８】
第２筐体２ｂには、貫通孔５が形成されている。貫通孔５は、第２筐体２ｂへ流入した排ガスを、Ｚ方向から第２筐体２ｂ外（例えば、図４に示す下流側排気管１３）へ流出させる。なお、貫通孔５は「流出口」の一例に相当し、Ｚ方向は「第２方向」の一例に相当する。
【００１９】
次に、第２筐体２ｂの構成について、図２〜図４を用いて説明する。図２〜図４は、第２筐体２ｂの構成の一例を示す斜視図である。
【００２０】
第２筐体２ｂは、一面が開口しており、側壁面部６、７、曲面部９、および立壁面部１０を有する。第２筐体２ｂは、第２筐体２ｂの開口面と第１筐体２ａの貫通孔４ｂとが連通するように、第１筐体２ａに取り付けられる。
【００２１】
曲面部９は、第２筐体２ｂの外部方向に向かって膨出している。側壁面部６、７は、互いに対向しており、曲面部９に対して直交するように設けられている。立壁面部１０は、曲面部９の一部分である。
【００２２】
側壁面部６には、曲面部９との境界付近に貫通孔５が形成されている。この貫通孔５には、図４に示すように、下流側排気管１３が接続されている。
【００２３】
第２筐体２ｂの内部には、誘導流路８が形成されるように第２筐体２ｂ内の空間を区画する仕切部材１１が設けられる。誘導流路８は、第２筐体２ｂ内に流入した排ガスを貫通孔５へ導く流路である。
【００２４】
仕切部材１１は、板状部材である。仕切部材１１は、曲面部９の延在方向に沿って設けられている。
【００２５】
仕切部材１１において、曲面部９に対向する部分は湾曲している。湾曲部分の曲率は、誘導流路８の流路面積が、圧力損失が生じない大きさとなるように決定される。
【００２６】
仕切部材１１の端部１４ａは、第２筐体２ｂの内壁面に直接固定されている。また、端部１４ａに対向する端部１４ｂは、繋ぎ部材１２を介して第２筐体２ｂの内壁面に固定されている。
【００２７】
具体的には、端部１４ａは、曲面部９の内壁面に溶着されている。また、端部１４ｂは、繋ぎ部材１２に溶着されており、繋ぎ部材１２は、立壁面部１０の内壁面に溶着されている。
【００２８】
また、仕切部材１１の端部１４ｃは、側壁面部６に近接している。なお、端部１４ｃは、側壁面部６に接触してもよい。
【００２９】
次に、本実施の形態の排気浄化装置２の作用効果について説明する。
【００３０】
仮に、図２〜図４に示した第２筐体２ｂにおいて、仕切部材１１が設けられておらず、誘導流路８が形成されていない場合、以下の問題がある。すなわち、第２筐体２ｂ内に流入した排ガスは、第２筐体２ｂ内の隅部に当たった後、曲面部９の内壁面に沿って貫通孔５に向かって流れる。このとき、排ガスが渦状となることで、異音が発生するという問題がある。
【００３１】
これに対し、本実施の形態の排気浄化装置２は、誘導流路８が形成されるように第２筐体２ｂ内の空間を区画する仕切部材１１を有することを特徴とする。これにより、第２筐体２ｂに流入した排ガスは、第２筐体２ｂ内の隅部に当たった後、誘導流路８を流れる。このとき、排ガスの流れ方向が規制されるので、排ガスの渦の発生を抑制できる。その結果、異音の発生を抑制することができる。
【００３２】
以上、本開示の実施の形態について詳述したが、本開示は、上述した実施の形態に限定されるものではなく、本開示の趣旨を逸脱しない範囲で、適宜変形して実施することが可能である。以下、各変形例について説明する。
【００３３】
［変形例１］
実施の形態では、第１筐体２ａと第２筐体２ｂとが別体である場合を例に挙げて説明したが、これに限定されない。例えば、第１筐体２ａと第２筐体２ｂとは、一体的に形成されてもよい。なお、第１筐体２ａと第２筐体２ｂとを別体とした場合、仕切部材１１を設置し易いという利点がある。
【００３４】
［変形例２］
実施の形態では、第２筐体２ｂが曲面部９を有する場合を例に挙げて説明したが、これに限定されない。例えば、第２筐体２ｂは、曲面部９の代わりに、曲折部を有してもよい。その場合、第２筐体２ｂの全体形状は、例えば、立方体状や直方体状であってもよい。
【００３５】
［変形例３］
実施の形態では、仕切部材１１が湾曲した形状である場合を例に挙げて説明したが、これに限定されない。例えば、仕切部材１１は、曲折した形状でもよいし、湾曲も曲折もしていない平面状であってもよい。なお、仕切部材１１が湾曲した形状である場合、熱応力の点で耐久性に優れるという利点がある。
【００３６】
［変形例４］
実施の形態では、仕切部材１１が繋ぎ部材１２を介して第２筐体２ｂの内壁面に固定される場合を例に挙げて説明したが、これに限定されない。例えば、仕切部材１１の端部１４ｂは、直接、立壁面部１０の内壁面に固定（例えば溶着）されてもよい。
【００３７】
以上、各変形例について説明した。なお、各変形例は、適宜組み合わせてもよい。
【産業上の利用可能性】
【００３８】
本開示の排気浄化装置および車両は、内燃機関から排出される排ガスを浄化する技術全般に有用である。
【符号の説明】
【００３９】
１  上流側排気管
２  排気浄化装置
２ａ  第１筐体
２ｂ  第２筐体
３  排ガス浄化体
４ａ、４ｂ、５  貫通孔
６、７  側壁面部
８  誘導流路
９  曲面部
１０  立壁面部
１１  仕切部材
１２  繋ぎ部材
１３  下流側排気管
１４ａ、１４ｂ、１４ｃ  端部
【図１】
2020002912.tif 000003
【図２】
2020002912.tif 000004
【図３】
2020002912.tif 000005
【図４】
2020002912.tif 000006